(57)【特許請求の範囲】
【請求項１】
筒状に区画された遮光室と、この遮光室の下方に設けられた光源と、この光源からの照射光線を前記遮光室の上方側に設けられた透光性の合成樹脂表示基板に照射してその表示基板を照明するようにした表示装置において、前記合成樹脂表示基板の表面側に表示部を形成するとともに、前記光源と対向する前記合成樹脂表示基板の背面側に、その表示基板と一体に前記光源からの照射光線を視線方向へと導く断面形状が鋸歯状の凸部を並行線状に形成してなることを特徴とする表示装置。
【請求項２】
前記断面形状が鋸歯状の凸部として、前記合成樹脂表示基板の表面側の平坦面に対して設定された角度で傾斜する透過面と、前記平坦面に対して直交方向に形成された立ち上がり壁面と、からなることを特徴とする請求項１に記載の表示装置。
【請求項３】
前記断面形状鋸歯状の凸部の立ち上がり壁面が、視線方向に向けて傾斜してなることを特徴とする請求項２に記載の表示装置。
【請求項４】
前記合成樹脂表示基板の表示部の周囲を取り巻いて覆うフードを設けてなることを特徴とする請求項１から請求項３に記載の表示装置。
【請求項５】
前記光源と前記合成樹脂表示基板との間に光拡散板を配設してなることを特徴とする請求項１から請求項４に記載の表示装置。
【請求項６】
前記光拡散板には、凹凸形状の光拡散部を施してなることを特徴とする請求項５に記載の表示装置。
【請求項７】
前記表示基板には、その表示基板自体を着色成形または表示基板に着色印刷を施してなることを特徴とする請求項１から請求項６に記載の表示装置。
【発明の詳細な説明】
【０００１】
【発明の属する技術分野】
本発明は、たとえば、建設機械などの特殊車輌や船舶、あるいは自動車、オートバイ等の車輌などの作動状態を表示したり、あるいは船舶や車輌の異常時において警報表示して知らせる表示装置に関するものである。
【０００２】
【従来の技術】
従来、たとえばオートバイなどの車輌に装備される各種走行情報を表示する計器装置の一般的な構成としては、図示しないが、計器装置の計器ケース内には、速度計や燃料計などの車輌の運転状況を指示する指示計器が収納され、アナログ的に指示する指示計器として、その計器本体の前面側に文字板を取り付け固定し、計器本体に形成された指針の指示を前記文字板の表面に設けた目盛や数値と対比して読み取るようにした指示計器であったり、あるいは図示しないが液晶表示装置などからなるデジタル表示やバーグラフ表示にて指示する指示計器を前記計器ケース内に収納固定している。
【０００３】
また計器ケースの内部には、エンジンの油圧の状態，ライトの点灯状態，エンジンオイルレベルの状態，あるいは燃料残量表示やギヤポジション表示などの各種車輌状態を光源となる表示灯を点灯させて知らせる表示装置などが設けられており、この場合、前記車輌などの状態を知らせる表示項目数と同数に各々区画して表示灯の照射光線が外部へと漏れ出ないように隔絶し、前記表示装置側へ光線を案内する筒状からなる遮光室を設け、この遮光室の下方には前記各表示灯を配設するとともに、計器装置の表面側すなわち筒状の各遮光室の上方には合成樹脂製の透光性材料からなる表示板を配設して前記表示装置を構成している。
【０００４】
【発明が解決しようとする課題】
ところで、前述した従来装置の表示装置にあっては、光源である表示灯が点灯して前記表示板の表示部を透過照明した際に、表示板と運転者の視線方向が対峙して表示部が設けられている場合には、真下に位置した前記表示灯の照射光線が目に直接的に入ってくるために表示板が明るく照らし出され支障はないが、取り付けスペースの問題や取り付ける向きなどによっては、表示板に照射される筒状の遮光室内に配設された照明灯からの照射光線の方向が視線方向から逸れることがあり、この結果、視線方向から照射光線の方向が逸れることにより表示板の表示面を明るく照らし出すことができないことがある。
【０００５】
そこで本発明は、前記従来例の問題を解決するものであって、光源からの照射光線を透光性の合成樹脂表示基板を介して視線方向に向けて屈折導光することによって表示基板の表示部の視認性を良好にして、表示部の透過照明による照明効果を高めることが可能な表示装置を提供することを目的とする。
【０００６】
【課題を解決するための手段】
請求項１の発明では、筒状に区画された遮光室と、この遮光室の下方に設けられた光源と、この光源からの照射光線を前記遮光室の上方側に設けられた透光性の合成樹脂表示基板に照射してその表示基板を照明するようにした表示装置において、前記合成樹脂表示基板の表面側に表示部を形成するとともに、前記光源と対向する前記合成樹脂表示基板の背面側に、その表示基板と一体に前記光源からの照射光線を視線方向へと導く断面形状が鋸歯状の凸部を並行線状に形成してなることを特徴とする表示装置である。
【０００７】
また請求項２の発明は、請求項１において、前記断面形状が鋸歯状の凸部として、前記合成樹脂表示基板の表面側の平坦面に対して設定された角度で傾斜する透過面と、前記平坦面に対して直交方向に形成された立ち上がり壁面と、からなることを特徴とする表示装置である。
【０００８】
また請求項３の発明は、請求項２において、前記断面形状鋸歯状の凸部の立ち上がり壁面が、視線方向に向けて傾斜してなることを特徴とする表示装置である。
【０００９】
また請求項４の発明は、請求項１から請求項３において、前記合成樹脂表示基板の表示部の周囲を取り巻いて覆うフードを設けてなることを特徴とする表示装置である。
【００１０】
また請求項５の発明は、請求項１から請求項４において、前記光源と前記合成樹脂表示基板との間に光拡散板を配設してなることを特徴とする表示装置である。
【００１１】
また請求項６の発明は、請求項５において、前記光拡散板には、凹凸形状の光拡散部を施してなることを特徴とする表示装置である。
【００１２】
また請求項７の発明は、請求項１から請求項６において、前記表示基板には、その表示基板自体を着色成形または表示基板に着色印刷を施してなることを特徴とする表示装置である。
【００１３】
【発明の実施の形態】
筒状に区画された遮光室と、この遮光室の下方に設けられた光源と、この光源からの照射光線を前記遮光室の上方側に設けられた透光性の合成樹脂表示基板に照射してその表示基板を照明するようにした表示装置において、前記合成樹脂表示基板の表面側に表示部を形成するとともに、前記光源と対向する前記合成樹脂表示基板の背面側に、その表示基板と一体に前記光源からの照射光線を視線方向へと導く断面形状が鋸歯状の凸部を並行線状に形成してなることにより、光源からの照射光線が合成樹脂表示基板の背面側に設けた断面形状鋸歯状の凸部を介して合成樹脂表示基板の表面側へと屈折しながら導光され、視線方向に向けて光源からの照射光線が導かれて案内されるため、この結果、照射光線が目に直接的に入ってくるために前記表示基板が明るく照らし出され、表示基板の表面側に形成された表示部の視認性を良好にして透過照明を行うことができる。
【００１４】
請求項１において、請求項２の発明では、前記断面形状が鋸歯状の凸部として、前記合成樹脂表示基板の表面側の平坦面に対して設定された角度で傾斜する透過面と、前記平坦面に対して直交方向に形成された立ち上がり壁面と、からなることにより、前記透過面を介して入光された照射光線が屈折導光されながら視線方向に導かれて案内されるため、これにより明るく前記表示基板が照らし出され、表示部の透過照明による照明効果を良好にして視認性を高めることが可能な表示装置を提供することができる。
【００１５】
また請求項２において、請求項３の発明では、前記断面形状鋸歯状の凸部の立ち上がり壁面が、視線方向に向けて傾斜してなることを特徴とする表示装置であり、前記立ち上がり壁面を視線方向に向けて傾斜して設けることによって、前記合成樹脂表示基板の裏面側から表面側へと照射光線が抜け出てくる際に、裏面側の透過面を介して入光してきた照射光線が屈折されて導かれる方向と平行方向に前記立ち上がり壁面の傾斜方向が設定されるため、その立ち上がり壁面に邪魔されることなく直接的に視線方向へと導くことができるため、表示基板が明るく照明表示される。
【００１６】
また請求項４の発明では、請求項１から請求項３において、前記合成樹脂表示基板の表示部の周囲を取り巻いて覆うフードを設けてなることにより、外部光線が前記表示基板に直接照射されて疑似点灯するという問題点を前記フードによって外部光線を遮ることが可能となるため、疑似点灯表示による紛らわしい表示状態を抑制することができるという効果がある。
【００１７】
また請求項５の発明では、請求項１から請求項４において、前記光源と前記合成樹脂表示基板との間に光拡散板を配設してなることにより、光拡散板の内部に導光された光線が屈折・反射あるいは拡散・集光して輝くものであり、見栄えの良好な表示基板の表示部箇所の透過照明が可能となる。
【００１８】
また請求項６の発明では、請求項５において、前記光拡散板には、凹凸形状の光拡散部を施してなることにより、光拡散板の内部にて光拡散部によって導光される光線が屈折・反射あるいは拡散・集光してきらきらと輝き、その光線と相まって表示基板の表示部箇所が透過照明され、深みのある立体的な見栄えの良好な照明効果を醸し出すことができる表示装置を提供することができる。
【００１９】
また請求項７の発明では、請求項１から請求項６において、前記表示基板には、その表示基板自体を着色成形または表示基板に着色印刷を施してなることにより、前記表示基板が着色された色合いにて明るく照らし出され、表示基板の表示部の視認性を良好にして着色透過照明を行うことができる。
【００２０】
【実施例】
図１から図３は本発明の第１実施例を示すものであり、たとえばオートバイなどの車輌に装備される計器装置に具備された表示装置の構成を主体にして説明する。本願発明の表示装置が装備された計器装置としては、下側のケースと上側の透視可能なケースとからなる計器ケーシング１内には、車輌の運転状況を指示する指示計器Ｍが収納され、指示計器Ｍの計器本体２の前面側に透光性の合成樹脂基板からなる文字板３が取り付け固定されるとともに、計器本体２の指針軸の上端に取り付けられた指針４の指示を前記文字板３の表面に設けられた目盛や数値と対比して読み取るように構成している。
【００２１】
また前記計器装置に装備されるこの実施例における表示装置Ｄとしては、前記計器ケーシング１内に配設された回路基板５上に発光ダイオード６からなる光源が取り付けられ、この発光ダイオード６からなる光源の周囲を取り巻いて筒状に区画形成され遮光室７が設けられ、この遮光室７の上方には、たとえばライトの点灯状態や方向指示器の表示状態などの車輌状態を前記発光ダイオード６からなる光源を点灯させて知らせるための透光性の合成樹脂表示基板８が設置されており、前記光源である発光ダイオード６と対向する前記合成樹脂表示基板８の裏面側に、その表示基板８と一体に前記光源（発光ダイオード６）からの照射光線を視線方向へと導く断面形状が鋸歯状の凸部９を並行線状に形成して表示装置Ｄの主要部を構成している。
【００２２】
また、この実施例における表示装置Ｄにあっては、図３に示すように、透光性を有する前記合成樹脂製の表示基板８の背面側に、その表示基板８と一体に前記断面形状が鋸歯状の凸部９が並行線状に形成され、その鋸歯状の凸部９としては、前記合成樹脂表示基板８の表面側の平坦面に対して設定された角度で傾斜する透過面９Ａと、前記平坦面に対して直交方向に形成された立ち上がり壁面９Ｂとによって形成されており、この場合、前記透過面９Ａは光源である発光ダイオード６からの照射光線を視線方向へと導くように所定の角度で傾斜するように設定している。
【００２３】
また、前記表示基板８の表面部分には、この実施例ではライトの点灯状態や方向指示器の表示状態を示す記号や図形などの表示部１０が印刷によって形成されており、前記ライトの点灯状態の表示部１０を印刷した表示基板８自体は、青色の顔料が混入されて着色成形されており、また前記方向指示器の表示形態を示す図形を印刷した表示基板８は、緑色の顔料を混入して着色成形するように構成している。
【００２４】
また、前記表示基板８の前面側には、その表示基板８の表示部１０の周囲を取り巻いて回りを目隠しつつ覆う見返し板からなるフード１１が配設されており、前記フード１１によって外部光線を遮ることが可能となり、疑似点灯表示による紛らわしい表示状態を抑制することができる。
【００２５】
このように構成された表示装置においては、遮光室７内に配置された光源である発光ダイオード６が点灯すると、発光ダイオード６からの照射光線は遮光室７の上方側に設けられた透光性の合成樹脂表示基板８に照射してその表示基板８の背面側に設けられた断面形状が鋸歯状の凸部９内に照射光線が入光する。この際、断面形状が鋸歯状の凸部９によって前記光源である発光ダイオード６からの照射光線を視線方向へと屈折案内して導くことにより、視線方向に向けて光源６からの照射光線が導かれて案内されるため、この結果、照射光線が目に直接的に入ってくるために前記表示基板８が明るく照らし出され、表示基板８の表面上に設けられた表示部１０の視認性を良好にして透過照明を行うことができる。
【００２６】
また、この実施例における合成樹脂表示基板８の背面側に一体に設けられた断面形状鋸歯状の凸部９として、前記合成樹脂表示基板８の表面側の平坦面に対して設定された角度で傾斜する透過面９Ａと、前記合成樹脂表示基板８の表面側の平坦面に対して直交方向に形成された立ち上がり壁面９Ｂとによって形成され、表示基板８の背後に配設された光源６からの照射光線が透過面９Ａを介して表示基板８内に入光されて屈折導光され、次いで、表示基板８の媒質内に入光してきた入射光線は、その表示基板８の媒質を透過する際にさらに屈折されながら視線方向に導かれて案内される。
【００２７】
また、表示基板８と文字板３との間は、見返し板からなるフード１１によって目隠しすることで内部が見えないように構成しているが、この際に見返し板によるフード１１により表示基板８の表面部分が奥まった位置に配置され、これにより外光による反射光が視線方向に反射されてくることを予防することが可能となり、疑似点灯表示による紛らわしい表示状態を抑制することができる。
【００２８】
なお、この実施例では、表示基板８自体を着色成形することにより、たとえば方向指示器の作動によって表示基板８が緑色に輝いて照明表示されるが、前述の疑似点灯の現象を防ぐために、表示基板８の表面部分にスモーク印刷層からなる暗色半透明層を形成してもよい。
【００２９】
図４から図６は本発明の第２実施例を示すものであり、たとえばオートバイなどの車輌に装備される計器装置に具備された表示装置の構成を主体にして説明する。本願発明の表示装置が装備された計器装置としては、下側のケースと上側の透視可能なケースとからなる計器ケーシング１内には、その計器装置の計器ケーシング１内に、車輌の運転状況を指示する液晶表示器からなる指示計器Ｍが収納されるとともに、その指示計器Ｍと隣接して表示装置Ｄの主要部が前記ケーシング１内に収容されて構成されている。
【００３０】
また前記計器装置に装備されるこの実施例における表示装置Ｄとしては、前記計器ケーシング１内に配設された回路基板５上に発光ダイオード６からなる光源が取り付けられ、この発光ダイオード６からなる光源の周囲を取り巻いて筒状に区画形成され第１の遮光室７Ａが設けられ、この第１の遮光室７Ａの上方には、光拡散板１２が配設されるとともに、前記第１の遮光室７Ａに重ね合わせて第２の遮光室７Ｂが配設されている。
【００３１】
また、前記第２の遮光室７Ｂの上方側には、たとえば方向指示器の表示状態などの車輌状態を知らせるための透光性の合成樹脂表示基板８が設置されており、この場合、前記第２の遮光室７Ｂと表示基板８とは前記上側の透視可能なケース（計器ケーシング１）に設けられた開口孔箇所に水密を保つように組み付けられている。
【００３２】
また、前記光源である発光ダイオード６と対向する前記合成樹脂表示基板８の裏面側には、その表示基板８と一体に前記光源（発光ダイオード６）からの照射光線を視線方向へと導く断面形状が鋸歯状の凸部９を並行線状に形成している。
【００３３】
また、この第２実施例における合成樹脂表示基板８の背面側に一体に設けられた断面形状鋸歯状の凸部９としては、前記合成樹脂表示基板８の表面側の平坦面に対して設定された角度で傾斜する透過面９Ａと、前記合成樹脂表示基板８の表面側の平坦面に対して直交方向に形成された立ち上がり壁面９Ｂとによって形成され、この実施例における立ち上がり壁面９Ｂは、視線方向に向けて傾斜して配設されている。
【００３４】
前記光拡散板１２は、この実施例においては、その背面部分に図５，図６から明らかなように多角形の凸部を連続的に配したダイヤカット模様による凹凸形状の光拡散部１２Ａを施して構成している。
【００３５】
また、上側の透視可能なケース（計器ケーシング１）の前面側は、オートバイのハンドルケーシングを兼ねたフード１１によって指示計器Ｍの判読箇所と表示装置Ｄの視認窓箇所を除いて覆って構成している。
【００３６】
従ってこの第２実施例においては、前述した第１実施例とほぼ同様の作用効果が得られるとともに、表示基板８の背面側に設けられた断面形状鋸歯状の凸部９の立ち上がり壁面９Ｂを視線方向に向けて傾斜して設けることによって、前記合成樹脂表示基板８の裏面側から表面側へと照射光線が抜け出てくる際に、裏面側の透過面を介して入光してきた照射光線が屈折されて導かれる方向とほぼ平行方向に前記立ち上がり壁面９Ｂの傾斜方向が設定されるため、その立ち上がり壁面９Ｂに邪魔されることなく直接的に視線方向へと導くことができるため、表示基板８の媒質内において立ち上がり壁面９Ｂを介して内面反射によって視線方向へ導かれる内面反射光線を抑制することができ、これにより目障りな内面反射光線を抑えることができるという効果がある。
【００３７】
また、第２実施例においては、光源である発光ダイオード６と表示基板８との間に、多角形の凸部を連続的に配したダイヤカット模様による凹凸形状の光拡散部１２Ａを施した光拡散板１２を配設してなることにより、光拡散板１２の内部にて光拡散部１２Ａ（ダイヤカット模様）によって導光される光線が屈折・反射あるいは拡散・集光してきらきらと輝き、その光線と相まって表示基板８の表面上に設けられた表示部１０箇所が透過照明され、深みのある立体的な見栄えの良好な照明効果を醸し出すことができるものである。また、光拡散板１２に設けられる凹凸形状の光拡散部１２Ａとしては実施例で示した多角形の凸部を連続的に配したダイヤカット模様による凹凸形状の光拡散部１２Ａに限らず、梨地状の凹凸形状やシボ加工による凹凸形状による光拡散部を光拡散板１２の表面や裏面に設けることによって同様な効果を得ることが可能である。
【００３８】
なお、本発明は、前記実施例に限定されるものではなく本発明の要旨の範囲内において種々の変形実施が可能であり、前記実施例では、たとえば車輌などの状態を知らせる表示項目数と同数の透光性の合成樹脂製の表示基板８を配設して構成していたが、一枚基板からなる表示基板８の裏面側の所定の箇所に、それぞれ断面形状鋸歯状の凸部９を一体に設けて構成してもよいものであり、また指示計器の文字板と表示基板８との基板を兼用して構成しても同様な効果を期待することができる。
【００３９】
また、実施例においては、表示基板８自体を着色成形し、光源６の照射光線によって表示基板８を着色透過照明表示するように構成していたが、着色照明の手段として、たとえば表示基板８は無色透明に成形し、その表示基板８の表面部分に着色印刷を施してその色合いを透過照明するようにしてもよいものであり、あるいはスモーク印刷層とを重ね合わせて印刷してもよい。
【００４０】
また、表示装置Ｄの取り付け角度や視線方向との位置関係などに合わせて、表示基板８の背面側に一体に設けられる断面形状が鋸歯状の凸部９の透過面９Ａの傾斜角度や立ち上がり壁面９Ｂの角度や寸法あるいは鋸歯状の凸部９による並行線状の寸法間隔などは適宜設定すればよいものである。
【００４１】
また、この実施例では車輌などの表示装置を例にして説明したが、リモコンの表示部の照明，表示を行う表示装置やコピー機械の操作スイッチ類の表示部の透過照明用としての表示装置などにも適用することも可能である。
【００４２】
【発明の効果】
以上詳述したように、本発明による表示装置においては、筒状に区画された遮光室と、この遮光室の下方に設けられた光源と、この光源からの照射光線を前記遮光室の上方側に設けられた透光性の合成樹脂表示基板に照射してその表示基板を照明するようにした表示装置において、前記合成樹脂表示基板の表面側に表示部を形成するとともに、前記光源と対向する前記合成樹脂表示基板の背面側に、その表示基板と一体に前記光源からの照射光線を視線方向へと導く断面形状が鋸歯状の凸部を並行線状に形成してなることにより、光源からの照射光線が合成樹脂表示基板に設けた断面形状鋸歯状の凸部を介して合成樹脂表示基板の表面側へと屈折しながら導光され、視線方向に向けて光源からの照射光線が導かれて案内されるため、これにより、照射光線が目に直接的に入ってくるために前記表示基板が明るく照らし出され、表示基板の表面側に形成された表示部の視認性を良好にして透過照明を行うことができるものである。
【図面の簡単な説明】
【図１】  本発明の第１実施例である指示計器に装備される表示装置構造を示す正面図である。
【図２】  図２は図１の主要部であるＡ−Ａ線矢印箇所を示す断面図である。
【図３】  図３は図２の要部を示す拡大断面図である。
【図４】  図４は本発明の第２実施例である指示計器に装備される表示装置構造を示す正面図である。
【図５】  図５は図４の主要部であるＢ−Ｂ線矢印箇所を示す断面図である。
【図６】  図６は図５の要部を示す拡大断面図である。
【符号の説明】
Ｄ      表示装置
Ｍ      指示計器
１      計器ケーシング
２      計器本体
３      文字板
４      指針
５      回路基板
６      発光ダイオード（光源）
７      遮光室
８      合成樹脂表示基板
９      鋸歯状の凸部
９Ａ    透過面
９Ｂ    立ち上がり壁面
１０    表示部
１１    フード（見返し板）
１２    光拡散板
１２Ａ  光拡散部（ダイヤカット模様）
【図１】
0004224751.tif 000002
【図２】
0004224751.tif 000003
【図３】
0004224751.tif 000004
【図４】
0004224751.tif 000005
【図５】
0004224751.tif 000006
【図６】
0004224751.tif 000007